(57)【要約】【課題】高画質な画像を適切に得ることができるようにすること。【解決手段】撮像システム１に、ベース部３１と、アーム部３２と、トップ部３３と、媒体６を撮像するスマートフォン２と、トップ部３３に設けられ、媒体設置面５を照射する照明ＬＥＤ３９と、照明ＬＥＤ３９を駆動制御する制御部４０と、スマートフォン２で撮像した媒体６の画像データ６０の保存前に、照明ＬＥＤ３９の点灯状態における撮像により取得した媒体６に対応する画像に基づいて読取不可領域６２があるか否かを判定する読取不可領域判定部２５と、を備え、読取不可領域６２があると判定した場合には、照明ＬＥＤ３９の照明状態を異ならせると共に、照明状態を異ならせたそれぞれの状態でスマートフォン２で媒体６を撮像し、各撮像時に対応して生成された画像データ６０のうち、読取不可領域６２に対応する領域を除く領域を合成して媒体６に対応する画像データを生成する。【選択図】図１
2015097351.tif 000002
【特許請求の範囲】
【請求項１】
読取対象の媒体を設置する媒体設置面に配設されるベース部と、
前記ベース部から上方に延在するアーム部と、
前記アーム部から前記媒体設置面に対向して延在するトップ部と、
前記媒体を撮像する撮像手段と、
前記トップ部に設けられ、前記媒体設置面を照射する照明と、
前記照明を駆動制御する照明制御手段と、
前記撮像手段で撮像した前記媒体の画像データの保存前に、前記照明の点灯状態における撮像により取得した前記媒体に対応する画像に基づいて、前記媒体での前記照明の反射光により前記撮像手段で前記媒体の情報が読み取れない読取不可領域があるか否かを判定する読取不可領域判定部と、
を備え、
前記読取不可領域があると前記読取不可領域判定部で判定した場合には、前記照明制御手段により前記照明の照明状態を異ならせると共に、照明状態を異ならせたそれぞれの状態で前記撮像手段で前記媒体を撮像し、
各撮像時に対応して生成された画像データのうち、前記読取不可領域に対応する領域を除く領域を合成して前記媒体に対応する画像データを生成することを特徴とする撮像システム。
【請求項２】
請求項１に記載の撮像システムにおいて、
前記照明状態とは、前記照明の光量であり、
前記読取不可領域があると前記読取不可領域判定部で判定した場合には、前記撮像手段は、前記照明制御手段により前記照明の光量を異ならせたそれぞれの状態で前記媒体を撮像する撮像システム。
【請求項３】
請求項２に記載の撮像システムにおいて、
前記読取不可領域があると前記読取不可領域判定部で判定した場合には、前記撮像手段は、前記照明制御手段により前記照明の光量を点灯状態と、消灯状態とに異ならせたそれぞれの状態で前記媒体を撮像する撮像システム。
【請求項４】
請求項１に記載の撮像システムにおいて、
前記照明は、前記媒体設置面に照射する、異なる位置に設けられた第１照明と、第２照明とを有し、
前記照明状態とは、前記媒体に対して前記第１照明で照射をする状態と、前記第２照明で照射をする状態とであり、
前記読取不可領域があると前記読取不可領域判定部で判定した場合には、前記撮像手段は、前記照明制御手段により前記媒体設置面への照射を前記第１照明での照射と前記第２照明での照射とに切り替えたそれぞれの状態で前記媒体を撮像する撮像システム。
【請求項５】
請求項１〜４のいずれか１項に記載の撮像システムにおいて、
前記トップ部は、前記媒体設置面に設置された前記媒体を撮像可能な位置に前記撮像手段を載置するための載置面が設けられている撮像システム。
【請求項６】
請求項１〜５のいずれか１項に記載の撮像システムにおいて、
前記照明制御手段は、前記撮像手段での前記媒体の撮像後に、前記照明の照明状態を撮像前の照明状態に戻す撮像システム。
【請求項７】
読取対象の媒体を設置する媒体設置面に配置されるベース部と、
前記ベース部から上方に延在するアーム部と、
前記アーム部から前記媒体設置面に対向して延在するトップ部と、
前記媒体を撮像する撮像手段と、
前記トップ部に設けられ、前記媒体設置面を照射する照明と、
を備える撮像システムでの画像データ生成方法であって、
前記撮像手段で撮像した前記媒体の画像データの保存前に、前記照明の点灯状態における撮像により取得した前記媒体に対応する画像に基づいて、前記媒体での前記照明の反射光により前記撮像手段で前記媒体の情報が読み取れない読取不可領域があると判定した場合には、前記照明の照明状態を異ならせると共に、照明状態を異ならせたそれぞれの状態で前記撮像手段で前記媒体を撮像し、
各撮像時に対応して生成された画像データのうち、前記読取不可領域に対応する領域を除く領域を合成して前記媒体に対応する画像データを生成することを特徴とする画像データ生成方法。
【発明の詳細な説明】
【技術分野】
【０００１】
本発明は、撮像システム及び画像データ生成方法に関する。
【背景技術】
【０００２】
カメラ等の撮像手段で被写体を撮像する際には、自然光のみでなく、蛍光灯やＬＥＤなどの光源から照射された光を用いて撮像することが多々ある。しかし、光源から照射される光を用いて撮像を行った場合、原稿の材質によっては照射光が原稿の表面で正反射し、画像の品質が低下することがある。このため、従来の画像読取装置の中には、原稿で反射した正反射光が、撮像手段に入射しない方向に向かう位置に光源を配置しているものがある（例えば、特許文献１、２）。また、原稿での正反射に起因する画像の品質の低下を抑制する他の手法として、光源を２つ設けると共に、２つの光源を時分割で発光させて、それぞれの光源の発光時に撮像手段によって被写体を撮像し、この２つの画像を合成しているものがある（例えば、特許文献３）。
【先行技術文献】
【特許文献】
【０００３】
【特許文献１】特開平７−７６０５号公報
【特許文献２】特許第３７５９８８７号公報
【特許文献３】特開２００１−２６８３２３号公報
【発明の概要】
【発明が解決しようとする課題】
【０００４】
しかながら、被写体である原稿が湾曲している場合、原稿上での正反射をする位置は、平坦な原稿上で正反射をする位置とは異なることがある。このため、光源の位置を、平坦な原稿で反射した正反射光が、撮像手段以外の方向に向かう位置に配置した際において、撮像する原稿が湾曲している場合、原稿での正反射光が撮像手段に向かって撮像手段に入射する虞がある。
【０００５】
また、正反射は、原稿の材質によって異なるため、光源からの照射光は原稿で正反射しない場合があり、この場合、光源を２つ設けたとしても、２つの光源を時分割で発光させて、２つの画像を合成する必要が無い場合がある。これらのため、原稿の形態に関わらず、原稿からの正反射光に起因する画像品質の低下を、適切に低減するのは、大変困難なものとなっていた。
【０００６】
本発明は、上記に鑑みてなされたものであって、高画質な画像を適切に得ることのできる撮像システム及び画像データ生成方法を提供することを目的とする。
【課題を解決するための手段】
【０００７】
上述した課題を解決するために、本発明に係る撮像システムは、読取対象の媒体を設置する媒体設置面に配設されるベース部と、前記ベース部から上方に延在するアーム部と、前記アーム部から前記媒体設置面に対向して延在するトップ部と、前記媒体を撮像する撮像手段と、前記トップ部に設けられ、前記媒体設置面を照射する照明と、前記照明を駆動制御する照明制御手段と、前記撮像手段で撮像した前記媒体の画像データの保存前に、前記照明の点灯状態における撮像により取得した前記媒体に対応する画像に基づいて、前記媒体での前記照明の反射光により前記撮像手段で前記媒体の情報が読み取れない読取不可領域があるか否かを判定する読取不可領域判定部と、を備え、前記読取不可領域があると前記読取不可領域判定部で判定した場合には、前記照明制御手段により前記照明の照明状態を異ならせると共に、照明状態を異ならせたそれぞれの状態で前記撮像手段で前記媒体を撮像し、各撮像時に対応して生成された画像データのうち、前記読取不可領域に対応する領域を除く領域を合成して前記媒体に対応する画像データを生成する。
【０００８】
また、上述した課題を解決するために、本発明に係る画像データ生成方法は、読取対象の媒体を設置する媒体設置面に配置されるベース部と、前記ベース部から上方に延在するアーム部と、前記アーム部から前記媒体設置面に対向して延在するトップ部と、前記媒体を撮像する撮像手段と、前記トップ部に設けられ、前記媒体設置面を照射する照明と、を備える撮像システムでの画像データ生成方法であって、前記撮像手段で撮像した前記媒体の画像データの保存前に、前記照明の点灯状態における撮像により取得した前記媒体に対応する画像に基づいて、前記媒体での前記照明の反射光により前記撮像手段で前記媒体の情報が読み取れない読取不可領域があると判定した場合には、前記照明の照明状態を異ならせると共に、照明状態を異ならせたそれぞれの状態で前記撮像手段で前記媒体を撮像し、各撮像時に対応して生成された画像データのうち、前記読取不可領域に対応する領域を除く領域を合成して前記媒体に対応する画像データを生成する。
【発明の効果】
【０００９】
本発明に係る撮像システム及び画像データ生成方法は、高画質な画像を適切に得ることができる、という効果を奏する。
【図面の簡単な説明】
【００１０】
【図１】図１は、実施形態１に係る撮像システムの概略構成を示す斜視図である。
【図２】図２は、図１に示す撮像システムの側面図である。
【図３】図３は、図１に示す撮像システムの平面図である。
【図４】図４は、図１に示す照明装置の斜視図である。
【図５】図５は、図１に示す撮像システムの機能ブロック図である。
【図６】図６は、照明ＬＥＤの点灯時に媒体上に読取不可領域が発生している状態の画像を示す説明図である。
【図７】図７は、照明ＬＥＤの消灯時における媒体の画像を示す説明図である。
【図８】図８は、照明ＬＥＤの点灯時の画像と消灯時の画像とを合成した画像を示す説明図である。
【図９】図９は、照明ＬＥＤの点灯時と消灯時における撮像部での照度についての説明図である。
【図１０】図１０は、照明ＬＥＤの点灯時と消灯時の画像データを合成する際の合成の手法についての説明図である。
【図１１】図１１は、図１に示す撮像システムでの媒体のスキャン時における制御手順を示すフロー図である。
【図１２】図１２は、読取不可領域の有無の判定を行う際の手順を示すフロー図である。
【図１３】図１３は、実施形態２に係る撮像システムの側面図である。
【図１４】図１４は、図１３に示す撮像システムの平面図である。
【図１５】図１５は、図１３に示す照明装置の斜視図である。
【図１６】図１６は、図１３に示す撮像システムの機能ブロック図である。
【図１７】図１７は、第１照明ＬＥＤのみ点灯させて撮像した画像を示す説明図である。
【図１８】図１８は、第２照明ＬＥＤのみ点灯させて撮像した画像を示す説明図である。
【図１９】図１９は、第１照明ＬＥＤのみの点灯時の画像と第２照明ＬＥＤのみの点灯時の画像とを合成した画像を示す説明図である。
【図２０】図２０は、第１照明ＬＥＤや第２照明ＬＥＤの点灯時における撮像部での照度についての説明図である。
【図２１】図２１は、第１照明ＬＥＤのみの点灯時と第２照明ＬＥＤのみの点灯時の画像データを合成する際の合成の手法についての説明図である。
【図２２】図２２は、図１３に示す撮像システムでの媒体のスキャン時における制御手順を示すフロー図である。
【発明を実施するための形態】
【００１１】
以下に、本発明に係る撮像システム及び画像データ生成方法の実施形態を図面に基づいて詳細に説明する。なお、この実施形態によりこの発明が限定されるものではない。また、下記実施形態における構成要素には、当業者が置換可能、且つ、容易なもの、或いは実質的に同一のものが含まれる。
【００１２】
〔実施形態１〕
図１は、実施形態１に係る撮像システムの概略構成を示す斜視図である。図２は、図１に示す撮像システムの側面図である。図３は、図１に示す撮像システムの平面図である。図１〜図３に示す撮像システム１は、媒体設置面５上に設置された読取対象の媒体６に対して、所定の撮像手段により上方から撮像して、媒体６の画像データを生成するスキャン動作を行うスキャナシステムである。本実施形態１では、撮像手段の一例として、カメラ機能を有するスマートフォン２を挙げて説明する。
【００１３】
本実施形態１に係る撮像システム１は、スマートフォン２と、スマートフォン２で撮像することによってスキャンを行う際に、このスマートフォン２を載置することができる照明装置３とを備える。撮像システム１は、スマートフォン２が照明装置３の所定位置（後述する載置面３４上）に載置されたときに、スマートフォン２を一意に位置決めすることができ、スマートフォン２により所定の撮影領域７のスキャン画像を取得することができる。なお、以下の説明では、図１の上下方向を撮像システム１及び照明装置３の上下方向、図１の手前側を撮像システム１及び照明装置３の前方向、図１の奥側を撮像システム１及び照明装置３の後方向とする。
【００１４】
スマートフォン２は、その背面にカメラ機能に係る撮像部２１が設けられている。撮像部２１は、スマートフォン２のＣＰＵ２８（図５参照）からの操作指令に応じて、スキャン動作を実行することができる。撮像部２１は、スマートフォン２が照明装置３の載置面３４に載置された状態では、所定の撮影領域７の全体を撮像することができ、撮影領域７の全体を含むスキャン画像を生成することができる。
【００１５】
照明装置３は、ベース部３１、アーム部３２及びトップ部３３の３つの部材を備えている。このうちベース部３１は、媒体設置面５上に配置される。アーム部３２は、ベース部３１の上面に接続され、ベース部３１から上方に延在する。なお、アーム部３２の延在方向は、図１〜３に示すように鉛直上方でもよいし、鉛直上方から前方向（媒体６が設置される側）または後方向（媒体６が設置される側の反対側）へ傾斜する方向でもよい。
【００１６】
トップ部３３は、アーム部３２に接続され、アーム部３２から媒体設置面５に対向して延在する。本実施形態１では、図２に示すように、トップ部３３は、アーム部３２の上端部に接続され、アーム部３２と接続する高さ位置から前方に延在し、且つ、水平より斜め上方に向かって延在している。
【００１７】
照明装置３のベース部３１、アーム部３２及びトップ部３３は、相互に一体的に固定されている。言い換えると、ベース部３１とアーム部３２との接続部分と、アーム部３２とトップ部３３との接続部分は、回転、脱着、移動などの変形ができないよう固設されている。
【００１８】
図４は、図１に示す照明装置の斜視図である。照明装置３のトップ部３３の上面３３ａには、媒体設置面５に設置された媒体６を撮像可能な位置にスマートフォン２を載置するための載置面３４が設けられている。
【００１９】
載置面３４は、トップ部３３の上面３３ａから掘り下げて形成されている。載置面３４は、スマートフォン２を載置する際に、スマートフォン２の背面の長手方向の一部がトップ部３３の先端から突出するよう設けられている。換言すると、載置面３４は、トップ部３３の前方端から後方（アーム部３２の方向）にかけて形成されており、載置面３４の面積は、スマートフォン２の背面の面積より小さい。また、載置面３４の前後方向の長さは、スマートフォン２の長手方向の長さより短い。これにより、スマートフォン２の背面に設けられた撮像部２１が載置面３４で隠されることなく、スマートフォン２が載置面３４に載置可能となる。つまり、スマートフォン２が載置面３４に載置されると、撮像部２１は媒体設置面５と直接対面するよう位置決めされるので、媒体設置面５上の媒体６を撮像可能となる。また、このように載置面３４を形成することで、スマートフォン２を載置面３４へ載置したり取り外したりすること（挿抜）が容易となる。
【００２０】
トップ部３３の上面３３ａと、載置面３４との間には段差が形成されている。より詳細には、スマートフォン２の長手方向下部と当接する段差３５ａと、スマートフォン２の左右側面と当接する段差３５ｂ，３５ｃとの３方向の段差が設けられる。段差３５ａと段差３５ｂは略直角に接続され、段差３５ａと段差３５ｃは略直角に接続され、段差３５ｂと段差３５ｃは前後方向に平行に配置される。これらの段差３５ａ，３５ｂ，３５ｃが、スマートフォン２と当接することにより、スマートフォン２を所定位置に位置決めすることができる。すなわち、トップ部３３の上面３３ａと、載置面３４との間に形成された段差３５ａ，３５ｂ，３５ｃが、スマートフォン２を載置面３４上の所定位置に位置決めするための位置決め手段として機能する。
【００２１】
これにより、スマートフォン２を載置面３４に載置する際には、スマートフォン２の長手方向下部を段差３５ａに突き当てるだけで、スマートフォン２を載置面３４の所定位置に容易に位置決めして載置することができる。また、上述のように、トップ部３３が傾斜しているため、載置面３４はトップ部３３の前方側から後方側へ水平方向下向きに傾斜して設けられている。このため、スマートフォン２を段差３５ａに突き当てやすい。
【００２２】
スマートフォン２を載置面３４に載置したときに、スマートフォン２の撮像部２１が、下方の所定の撮影領域７の全体を撮影できる程度に媒体設置面５との間に距離がとれるように、載置面３４の設置位置が設定されている。詳しくは、載置面３４は、載置面３４に載置されたスマートフォン２の撮影領域７が、照明装置３のベース部３１の前方向に隣接する媒体６を配置する領域と、ベース部３１における前方上面部分とを含むよう構成されている。
【００２３】
また、照明装置３のベース部３１の上面には、スキャンスイッチ３６、照明スイッチ３７、電源スイッチ３８が設けられている。また、照明装置３のトップ部３３の媒体設置面５と対向する下面には、媒体設置面５を照射する照明として照明ＬＥＤ（Ｌｉｇｈｔ  Ｅｍｉｔｔｉｎｇ  Ｄｉｏｄｅ）３９が設けられている。これらのスキャンスイッチ３６、照明スイッチ３７、電源スイッチ３８、照明ＬＥＤ３９は、照明装置３の内部に備えられている制御部４０（図５参照）に電気的に接続されている。なお、これらのスイッチ類は、ベース部３１の上面以外の位置に設けてもよい。例えば、電源スイッチ３８は、ベース部３１の背面に設けてもよい。また、照明装置３には電源スイッチ３８を設けず、照明装置３が有する差込プラグをコンセントに抜き差しすることにより、照明装置３に通電させてもよい。
【００２４】
スキャンスイッチ３６は、スマートフォン２にスキャン動作を実行させるスキャン操作の指示をユーザから受け付ける入力手段である。また、照明スイッチ３７は、照明ＬＥＤ３９の点灯と消灯とを切り替える際の入力手段になっている。また、電源スイッチ３８は、ＡＣアダプタ５０（図５参照）によって接続される外部電源と照明装置３との間の通電と遮断とを切り替えるスイッチになっている。また、照明ＬＥＤ３９は、発光時の照射範囲８が、スマートフォン２の撮影領域７と概ね等しく、撮影領域７を満遍なく明るくできるように、トップ部３３の下面に配設されている。
【００２５】
図５は、図１に示す撮像システムの機能ブロック図である。照明装置３と共に撮像システム１を構成するスマートフォン２は、撮像部２１と、通信部２２と、画像処理部２３と、記録部２４と、読取不可領域判定部２５と、ＣＰＵ（Ｃｅｎｔｒａｌ  Ｐｒｏｃｅｓｓｉｎｇ  Ｕｎｉｔ）２８とを備える。撮像部２１と、通信部２２と、画像処理部２３と、記録部２４と、読取不可領域判定部２５は、ＣＰＵ２８に電気的に接続されている。
【００２６】
通信部２２は、照明装置３との間で通信を行うことが可能になっており、例えば、Ｂｌｕｅｔｏｏｔｈ（登録商標）によって無線通信を行う。照明装置３との間の通信は、Ｂｌｕｅｔｏｏｔｈ以外の手法によって行ってもよく、ＮＦＣ（Ｎｅａｒ  Ｆｉｅｌｄ  Ｃｏｍｍｕｎｉｃａｔｉｏｎ）や赤外線通信等、載置面３４に載置されたスマートフォン２と照明装置３との間で、無線で通信を行うことができる手法であれば、その手法は問わない。
【００２７】
画像処理部２３は、撮像部２１で撮像した画像に対して、任意の画像処理を行う部分である。画像処理部２３は、例えば、傾斜しているトップ部３３の載置面３４に載置されたスマートフォン２の撮像部２１によって、媒体設置面５の媒体６を斜め上方から撮像した媒体６の画像を、垂直方向上方から媒体６を撮像した画像になるように、画像処理を行う。記録部２４は、撮像部２１により取得された読取データや、画像処理部２３で画像処理を行った画像データを保存する記憶装置である。
【００２８】
読取不可領域判定部２５は、媒体６での照明ＬＥＤ３９の反射光によりスマートフォン２で媒体６の情報が読み取れない読取不可領域があるか否かを判定する。詳しくは、被写体となる媒体６が、表面の平滑度が高く、表面に光沢を有して形成されている場合は、照明ＬＥＤ３９からの照射光が媒体６に照射された際に、照射光は媒体６の表面で正反射することがある。この正反射した反射光が、スマートフォン２の撮像部２１に向かって撮像部２１に入射した場合、媒体６においてこの反射光が反射した部分の輝度が、反射光によって高くなり過ぎ、スマートフォン２では、媒体６におけるこの部分の情報を読み取ることができなくなることがある。即ち、照明ＬＥＤ３９からの照射光が媒体６の表面で正反射した場合、媒体６上において、反射光によってスマートフォン２で媒体６の情報が読み取れない領域である読取不可領域が発生することがある。読取不可領域判定部２５は、スマートフォン２で撮像した媒体６の画像データの保存前に、照明ＬＥＤ３９の点灯状態における撮像により取得した媒体６に対応する画像に基づいて、読取不可領域があるか否かを判定する。
【００２９】
ＣＰＵ２８は、通信部２２での照明装置３との通信時や、撮像部２１での撮像時、画像処理部２３での画像処理時、読取不可領域判定部２５での読取不可領域の有無の判定時等に、各種の演算処理を行う。
【００３０】
一方、照明装置３は、通信部４５と、照明ＬＥＤ３９と、スキャンスイッチ３６と、照明スイッチ３７と、電源スイッチ３８と、制御部４０とを備えている。通信部４５と、照明ＬＥＤ３９と、スキャンスイッチ３６と、照明スイッチ３７と、電源スイッチ３８は、制御部４０に電気的に接続されている。
【００３１】
通信部４５は、スマートフォン２の通信部２２との間で、Ｂｌｕｅｔｏｏｔｈ等によって通信を行うことが可能になっている。スマートフォン２と照明装置３は、双方の通信部２２、４５により、無線通信で通信を行うことが可能になっている。
【００３２】
制御部４０は、ＬＥＤドライバ４１とＭＰＵ（Ｍｉｃｒｏ  Ｐｒｏｃｅｓｓｉｎｇ  Ｕｎｉｔ）４２を有している。このうち、ＬＥＤドライバ４１は、照明ＬＥＤ３９に供給する電力を調節して照明ＬＥＤ３９を発光させることが可能になっている。このため、ＬＥＤドライバ４１を備える制御部４０は、照明ＬＥＤ３９を駆動制御する照明制御手段としても設けられている。また、ＭＰＵ４２は、スキャンスイッチ３６や照明スイッチ３７への入力操作に応じてＬＥＤドライバ４１や通信部４５に制御信号を送信することにより、照明ＬＥＤ３９の発光制御や、照明装置３とスマートフォン２との間での通信制御を行うことができるように設けられている。
【００３３】
また、電源スイッチ３８は、外部電源に接続されるＡＣアダプタ５０と制御部４０との間に介在しており、入力操作によって制御部４０と外部電源との間の通電（ＯＮ）と遮断（ＯＦＦ）とを切り替えることにより、照明装置３の作動と停止を切り替えることができるようになっている。
【００３４】
本実施形態１に係る撮像システム１は、以上のごとき構成からなり、以下、その作用について説明する。撮像システム１を構成する照明装置３は、通常は照明スタンドとして利用される。照明装置３を照明スタンドとして利用する際には、電源スイッチ３８をＯＮの状態で、照明スイッチ３７に対して押圧操作を行う等の入力操作を行う。この照明スイッチ３７に対する入力は、明確に押すこと以外でもよく、照明スイッチ３７の形態に応じて、照明スイッチ３７をタップしたり、照明スイッチ３７に触れたり（タッチしたり）するようにしてもよい。照明スイッチ３７が押されたことを認識したＭＰＵ４２は、ＬＥＤドライバ４１を介して照明ＬＥＤ３９を点灯させる。これにより、照明ＬＥＤ３９は照射範囲８に照射を行い、照明装置３は、照明ＬＥＤ３９からの照射光によって、トップ部３３の下方を明るくすることができる。点灯状態の照明ＬＥＤ３９を消灯する際には、照明ＬＥＤ３９が点灯している状態で、照明スイッチ３７に対して押圧操作を行う等の入力操作を行う。これにより、ＭＰＵ４２は、ＬＥＤドライバ４１を介して照明ＬＥＤ３９を消灯させる。
【００３５】
また、本実施形態１に係る撮像システム１は、照明装置３を照明スタンドとして使用するのみでなく、照明装置３にスマートフォン２をセットすることにより、媒体設置面５に設置された媒体６をスマートフォン２で読み取り、媒体６のスキャンを行うことが可能になっている。この媒体６のスキャンは、本実施形態１に係る画像データ生成方法により、画像データの生成を行い、媒体６の画像を取得する。撮像システム１での媒体６のスキャンについて説明すると、媒体６のスキャンを行う際には、スマートフォン２の撮像部２１が下面側になり、且つ、撮像部２１がトップ部３３から露出する向きで、スマートフォン２をトップ部３３の載置面３４に載置する。
【００３６】
スマートフォン２と照明装置３とは、スマートフォン２の通信部２２と照明装置３の通信部４５で通信を行うことにより、互いに情報の送受信を行うことが可能になっている。また、スマートフォン２は、照明装置３から送信される制御信号を受信することにより、撮像動作を行うことが可能になっている。また、撮像システム１は、スキャンスイッチ３６の押下が、スキャンの開始トリガになっている。即ち、スキャンスイッチ３６のＯＮが、撮像システム１によるスキャンの開始トリガになっている。このため、照明装置３のトップ部３３に載置されたスマートフォン２は、照明装置３からのスキャン開始トリガを、通信部２２で受信するまで、待機を続ける。
【００３７】
この状態で、ユーザによって照明装置３のスキャンスイッチ３６が押下されると、照明装置３からスマートフォン２に対してスキャン開始トリガが発信される。このスキャン開始トリガは、照明装置３の通信部４５から発信し、スマートフォン２の通信部２２で受信する。スキャン開始トリガを受信したスマートフォン２は、照明装置３が有する照明ＬＥＤ３９の点灯指示を行う。スマートフォン２からの点灯指示を受けた照明装置３は、点灯指示の受信時に照明ＬＥＤ３９が点灯状態であった場合には、照明ＬＥＤ３９の点灯を維持し、照明ＬＥＤ３９が消灯状態であった場合には、照明ＬＥＤ３９を点灯させる。
【００３８】
スマートフォン２は、このように照明ＬＥＤ３９を点灯させた状態で、媒体６の画像データを保存する前に、照明ＬＥＤ３９の点灯状態における撮像により取得した媒体６に対応する画像データに基づいて、読取不可領域の有無を判定する。図６は、照明ＬＥＤの点灯時に媒体上に読取不可領域が発生している状態の画像を示す説明図である。照明ＬＥＤ３９の点灯時には、媒体６の材質によっては、照明ＬＥＤ３９からの照射光が媒体６で正反射し、正反射光がスマートフォン２の撮像部２１に入射することによって媒体６の情報をスマートフォン２で読み取れない読取不可領域６２が発生することがある。撮像システム１は、この読取不可領域６２が発生しているか否かを、撮像部２１で常時撮像している撮影領域７の画像データ６０に基づいて、スマートフォン２の読取不可領域判定部２５によって判定する。
【００３９】
つまり、スマートフォン２は、スキャンスイッチ３６が押下された後は、媒体６の読み取りを行って画像データ６０を保存する前でも、撮像部２１によって常時撮影領域７を撮像した状態で待機している。このため、読取不可領域判定部２５は、撮像部２１で撮像することにより取得した媒体６の画像データ６０に基づいて、読取不可領域６２の有無を判定する。スマートフォン２は、この読取不可領域６２の有無に応じて、媒体６の撮像時の処理を異ならせる。
【００４０】
まず、画像データ６０に読取不可領域６２が無いと判定されたときには、照明ＬＥＤ３９が点灯している状態で、媒体設置面５における撮影領域７の画像を撮像部２１で撮像することにより、撮影領域７内の媒体６を撮像して、画像データ６０をスマートフォン２の記録部２４に保存する。これにより、撮像システム１は、自らの照明である照明ＬＥＤ３９によって作り出した最適な環境下で、媒体６を撮像して保存し、媒体６のスキャンを行う。このスキャンによって得られた画像データ６０を記録部２４に保存する際には、スマートフォン２が有する画像処理部２３での画像処理によって適切な画質に調整された後、記録部２４に記録して保存する。
【００４１】
これに対し、照明ＬＥＤ３９からの光によって媒体６上に読取不可領域６２があると判定されたら、一旦、その状態で媒体６の撮像を行う。つまり、照明ＬＥＤ３９を点灯させた状態で媒体６を撮像することにより、画像データ６０に読取不可領域６２を含んでいる状態で、媒体６の画像データ６０を取得する。このため、この画像データ６０は、媒体６の情報が読み取れない読取不可領域６２と、媒体６の情報を読み取ることができる読取可能領域６１とを含んでいる。
【００４２】
図７は、照明ＬＥＤ３９の消灯時における媒体の画像を示す説明図である。読取不可領域６２を含んだ媒体６の画像データ６０を取得したら、照明ＬＥＤ３９を消灯させ、その状態で媒体６の撮像を行う。照明ＬＥＤ３９を消灯させた場合、媒体６には照明ＬＥＤ３９からの照射光が照射されないため、照明ＬＥＤ３９からの照射光が媒体６で反射することはなく、照明ＬＥＤ３９からの照射光が媒体６で反射することに起因する読取不可領域６２は発生しない。
【００４３】
なお、媒体６の材質が、照明ＬＥＤ３９からの照射光が媒体６で正反射することによって読取不可領域６２が発生するような材質である場合、照明ＬＥＤ３９を消灯させた場合でも、環境光が媒体６で正反射することがある。例えば、撮像システム１が置かれている部屋の天井に設置されている蛍光灯等の外光７０（図９参照）からの照射光が媒体６で正反射して、その反射光がスマートフォン２の撮像部２１に入射することがある。
【００４４】
この場合における正反射光は、外光７０からの光がそのまま媒体６で反射して撮像部２１に入射するため、媒体６における他の部分で拡散反射した光に比べて光量が多く、また、外光７０の形状の情報も含んだ光が撮像部２１に入射することになる。このため、媒体６上において外光７０からの光が正反射する領域には、外光７０の写り込みが発生し、この領域は、他の領域と比較して媒体６の情報が読み取り難くなる外光正反射領域６３になる。このため、媒体６の画像データ６０では、外光正反射領域６３は、周囲の読取可能領域６１と比較して、媒体６の情報が読み取り難い領域として現れる。
【００４５】
撮像システム１は、読取不可領域６２を含んだ媒体６の画像データ６０を取得したら、照明ＬＥＤ３９を消灯させた場合の外光正反射領域６３の有無に関わらず、照明ＬＥＤ３９を消灯させた状態で媒体６の撮像を行い、照明ＬＥＤ３９の消灯時の画像データ６０を取得する。
【００４６】
図８は、照明ＬＥＤ３９の点灯時の画像と消灯時の画像とを合成した画像を示す説明図である。照明ＬＥＤ３９の点灯時と消灯時とのそれぞれの状態での画像データ６０を取得したら、撮像システム１は、双方の画像データ６０を合成する。具体的には、照明ＬＥＤ３９の点灯時の画像データ６０における読取不可領域６２の部分を、照明ＬＥＤ３９の消灯時の画像データ６０における、照明ＬＥＤ３９の点灯時の画像データ６０中の読取不可領域６２に該当する部分に置き換える。
【００４７】
つまり、照明ＬＥＤ３９の消灯時の画像データ６０（図７参照）のうち、照明ＬＥＤ３９の点灯時の画像データ６０中の読取不可領域６２（図６参照）に該当する部分を置換領域６４とし、照明ＬＥＤ３９の点灯時の画像データ６０中の読取不可領域６２を、置換領域６４に置き換える。照明ＬＥＤ３９の消灯時の画像データ６０中では、置換領域６４は読取可能領域６１に位置しているため、置換領域６４は、媒体６の情報を読み取ることが可能になっている。このため、読取不可領域６２を置換領域６４に置き換えた画像データ６０は、全領域が読取可能領域６１になり、媒体６の全領域の情報を読み取ることが可能になる。
【００４８】
撮像システム１は、照明ＬＥＤ３９の点灯時に読取不可領域６２があると判定された場合には、これらのように照明ＬＥＤ３９の点灯状態を異ならせることにより照明状態を異ならせると共に、照明状態を異ならせたそれぞれの状態で、スマートフォン２で媒体６を撮像する。さらに、各撮像時に対応して生成された画像データ６０のうち、読取不可領域６２に対応する領域を除く領域である読取可能領域６１を合成して、媒体６に対応する画像データ６０を生成する。
【００４９】
なお、照明ＬＥＤ３９の消灯時には、媒体６の情報を読み取り難い外光正反射領域６３が発生するが、媒体６の位置での外光７０からの光の光量は、照明ＬＥＤ３９を点灯させた場合における照明ＬＥＤ３９からの光の光量よりも小さくなっている。このため、照明ＬＥＤ３９を点灯させた際には、外光正反射領域６３には、外光７０からの光量よりも多くの光が照明ＬＥＤ３９から照射されるので、外光７０の写り込みも目立たなくなる。このため、照明ＬＥＤ３９の消灯時における外光正反射領域６３は、照明ＬＥＤ３９の点灯時は、媒体６の情報を読み取ることができる読取可能領域６１になる。
【００５０】
次に、照明ＬＥＤ３９や外光７０からの光が媒体６の表面で正反射することによって読取不可領域６２や外光正反射領域６３が発生する原因について説明する。図９は、照明ＬＥＤの点灯時と消灯時における撮像部での照度についての説明図である。スマートフォン２は、撮像部２１に入射する光を電気信号に変換することによって被写体の撮像を行うため、媒体６を撮像する際には、媒体６の表面で反射する光を受光することにより、撮像を行う。ここで、一般的に物体に光が照射された場合には、多くの場合は拡散反射を行い、撮像部２１も、拡散反射した光を受光することにより、媒体６等の物体の情報を撮像する。
【００５１】
しかし、媒体６の表面の平滑度が高く、光沢を有している場合は、媒体６に到達した光の一部は、媒体６の表面で正反射する。このため、照明ＬＥＤ３９の消灯時に、外光７０からの光が媒体６に照射されている場合には、この媒体６からの光も正反射する。外光７０と撮像部２１との位置関係により、外光７０からの光が正反射した際の光路上に撮像部２１が位置している場合、撮像部２１には、この正反射光が入射する。
【００５２】
撮像部２１では、撮影領域７からの光を受光するが、外光７０からの光の正反射光は、撮影領域７における他の部分からの光よりも光量が多いため、外光７０からの光の正反射光による、撮像部２１での照度は、撮影領域７の他の領域の照度よりも高くなる。このため、媒体６における、外光７０からの光が正反射する部分は、媒体６の情報を読み取り難い外光正反射領域６３になる。
【００５３】
また、照明ＬＥＤ３９を点灯させた場合には、照明ＬＥＤ３９からの光は、媒体６を含む撮影領域７全体に照射されるため、撮影領域７に照射される光の光量は、照明ＬＥＤ３９の消灯時の光量よりも多くなる。このため、撮影領域７の物体に拡散反射をしてから撮像部２１に向かう光の光量も多くなり、撮像部２１での照度は、照明ＬＥＤ３９の消灯時よりも全体的に高くなる。
【００５４】
また、その際に、光を正反射する媒体６が撮影領域７に設置されている場合は、照明ＬＥＤ３９からの光も、媒体６で正反射する。このように、照明ＬＥＤ３９からの光が媒体６で正反射する際に、照明ＬＥＤ３９と撮像部２１との位置関係により、媒体６で正反射した光の光路上に撮像部２１が位置している場合は、正反射した光は、撮像部２１に入射する。
【００５５】
その際に、照明ＬＥＤ３９は、媒体６までの距離が、外光７０から媒体６までの距離よりも大幅に小さくなっているため、媒体６で受ける光の光量は、外光７０からの光よりも、照明ＬＥＤ３９からの光の方が大幅に多くなっている。このため、照明ＬＥＤ３９からの光が媒体６で正反射し、この正反射光が撮像部２１に入射する際の撮像部２１での照度は、外光７０からの光が媒体６で正反射した際の撮像部２１での照度よりも大幅に大きくなる。
【００５６】
また、この照明ＬＥＤ３９からの光が媒体６で正反射した際の撮像部２１での照度は、撮影領域７におけるその他の部分で拡散反射した光が撮像部２１に入射する際における照度よりも大幅に大きくなる。これにより、媒体６における、照明ＬＥＤ３９からの光が正反射する部分は、照度が高過ぎて媒体６の情報を読み取ることができない読取不可領域６２になる。
【００５７】
これらにより、撮像する媒体６の表面の平滑度が高く、表面に光沢を有して形成されている場合は、画像データ６０には読取不可領域６２や外光正反射領域６３が発生する。本実施形態１に係る撮像システム１では、画像データ６０にこれらの領域が発生する場合には、照明ＬＥＤ３９の点灯時と消灯時に媒体６の画像データ６０を取得してそれらの画像データ６０を合成するが、次に、合成の前後での画像データ６０の変化について説明する。
【００５８】
図１０は、照明ＬＥＤの点灯時と消灯時の画像データを合成する際の合成の手法についての説明図である。撮像時の被写体となる媒体６が、光を正反射する形態で形成されている場合には、照明ＬＥＤ３９の点灯時の画像データ６０と消灯時の画像データ６０とを合成することにより、正反射による不具合を取り除いた画像を得ることができる。画像データ６０の合成時には、画像データ６０の状態を判定し易くするために、まず数値化する。この数値化の一例として、画像情報を輝度と色相とを用いて表すＹＣｂＣｒを使用し、各画像データ６０をＹＣｂＣｒに変換すると、画像輝度成分（Ｙ）は、０〜２５５の数値で表すことができる。
【００５９】
撮像部２１での撮像時には、撮影領域７全体で見た場合の照度に合わせて露出の調整等を行うため、画像データ６０をＹＣｂＣｒに変換すると、照明ＬＥＤ３９の消灯時における画像輝度成分は、外光正反射領域６３以外の部分では０〜２５５内の適切な範囲内に収まる。一方、外光正反射領域６３に該当する部分は、輝度が他の部分と比較してこの部分だけ高くなっているため、画像輝度成分が２５５に限りなく近くなる。このため、外光正反射領域６３では、輝度が高いことに起因して媒体６の情報を読み取り難くなっている。
【００６０】
また、照明ＬＥＤ３９の点灯時における画像輝度成分は、読取不可領域６２以外の部分では０〜２５５の適切な範囲内に収まる。一方、読取不可領域６２に該当する部分は、輝度が他の部分と比較してこの部分だけ極端に高くなっているため、画像輝度成分が２５５を超える状態になり、画像輝度成分が飽和状態になる。このため、読取不可領域６２では、輝度が高過ぎて媒体６の情報を読み取ることができなくなっている。
【００６１】
なお、照明ＬＥＤ３９の点灯時には、撮影領域７全体の照度が高くなることにより、撮像部２１で入光量を制限するため、照明ＬＥＤ３９の消灯時に外光正反射領域６３になっていた部分の入光量も少なくなる。このため、照明ＬＥＤ３９の消灯時に外光正反射領域６３になっていた部分は、他の部分の輝度に近くなり、媒体６の情報を読み取り易くなる。
【００６２】
これらの照明ＬＥＤ３９の消灯時の画像データ６０と、照明ＬＥＤ３９の点灯時の画像データ６０を合成する際には、照明ＬＥＤ３９の消灯時における画像データ６０のうち照明ＬＥＤ３９の点灯時の読取不可領域６２に該当する部分（図１０、Ａ）と、照明ＬＥＤ３９の点灯時における読取可能領域６１に該当する部分（図１０、Ｂ）とを合成する。これにより、合成後の画像データ６０では、全ての領域で輝度が０〜２５５内の適切な範囲内に収まる。
【００６３】
次に、これらのように照明ＬＥＤ３９の消灯時と点灯時とで取得した画像データ６０を合成して媒体６のスキャンを行う撮像システム１の制御手順について説明する。図１１は、図１に示す撮像システムでの媒体のスキャン時における制御手順を示すフロー図である。撮像システム１で媒体６のスキャンを行う際には、電源スイッチ３８がＯＮになっている状態で、スキャンスイッチ３６を押下することによりＯＮにする（ステップＳＴ１０１）。スキャンスイッチ３６の状態は、制御部４０で取得し、スキャンスイッチ３６がＯＮになったことを制御部４０で認識したら、照明装置３の通信部２２とスマートフォン２の通信部２２との間で通信を行うことにより、照明装置３からスマートフォン２に対して、スキャンの開始指示を行う。スキャンの開始指示を受けたスマートフォン２は、撮像部２１を作動させ、撮像を開始する。
【００６４】
また、スキャンスイッチ３６がＯＮになったら、照明装置３では、照明ＬＥＤ３９はＯＮであるか否かを判定する（ステップＳＴ１０２）。照明ＬＥＤ３９は、制御部４０のＬＥＤドライバ４１で点灯状態が制御されるため、制御部４０は、ＬＥＤドライバ４１での照明ＬＥＤ３９の制御状態に基づいて、照明ＬＥＤ３９はＯＮであるか否かの判定をする。
【００６５】
この判定により、照明ＬＥＤ３９はＯＮではないと判定された場合（ステップＳＴ１０２、Ｎｏ判定）は、照明ＬＥＤ３９をＯＮにする（ステップＳＴ１０３）。つまり、制御部４０のＬＥＤドライバ４１で照明ＬＥＤ３９を制御することにより、消灯状態の照明ＬＥＤ３９を点灯させる。
【００６６】
これに対し、照明ＬＥＤ３９はＯＮであると判定された場合（ステップＳＴ１０２、Ｙｅｓ判定）は、読取不可領域６２はあるか否かを判定する（ステップＳＴ１０４）。つまり、撮像を開始しているスマートフォン２によって取得した画像データ６０に基づいて、読取不可領域６２の有無を判定する。この読取不可領域６２の有無の判定は、スマートフォン２の読取不可領域判定部２５で行う。
【００６７】
図１２は、読取不可領域の有無の判定を行う際の手順を示すフロー図である。読取不可領域判定部２５で、読取不可領域６２の有無の判定を行う際の一例として、画像データ６０をＹＣｂＣｒ変換して判定する場合の手順について説明する。読取不可領域６２の有無の判定を行う場合には、撮像部２１で撮像した画像データ６０をＹＣｂＣｒ変換する（ステップＳＴ１５１）。読取不可領域判定部２５は、所定の画素領域中で、Ｙ＝２５５がα％以上になる領域があるか否かを判定する（ステップＳＴ１５２）。
【００６８】
つまり、変換したＹ（輝度）成分と、Ｃｂ（青系統色相）成分と、Ｃｒ（赤系統色相）成分とのうち、Ｙ＝２５５になる画素が、画像データ６０中の任意の領域においてα％以上になる領域があるか否かを判定する。この判定に用いる任意の領域と、閾値となるαは、予め設定されて記憶されている。読取不可領域判定部２５は、画像データ６０中の画素ごとのＹを検出し、任意の大きさの領域において、Ｙ＝２５５になる画素がα％以上になる領域があるか否かを判定する。
【００６９】
この判定により、Ｙ＝２５５がα％以上になる領域があると判定された場合（ステップＳＴ１５２、Ｙｅｓ判定）は、読取不可領域判定部２５は、読取不可領域６２はあると判定する（ステップＳＴ１５３）。これに対し、Ｙ＝２５５がα％以上になる領域はないと判定された場合（ステップＳＴ１５２、Ｎｏ判定）は、読取不可領域判定部２５は、読取不可領域６２はないと判定する（ステップＳＴ１５４）。
【００７０】
具体的には、照明ＬＥＤ３９を点灯させた状態で撮像した画像データ６０について、輝度Ｙ＝２５５を閾値にして２値化して、ラベリング処理し、予め設定されている任意の領域ごとに区画する。ラベリング処理をしたら、予め設定された画素数以上（α％以上）のラベル（領域）を、読取不可領域６２と判定する。
【００７１】
この読取不可領域判定部２５での判定により、読取不可領域６２はないと判定された場合（ステップＳＴ１０４、Ｎｏ判定）は、照明ＬＥＤ３９を点灯させた状態で、スマートフォン２で撮影領域７を撮像する（ステップＳＴ１０５）。これにより、撮影領域７に設置されている媒体６を読み取り、読取不可領域６２が発生していない状態の媒体６の画像データ６０を読み取る。
【００７２】
また、読取不可領域６２はあると判定された場合（ステップＳＴ１０４、Ｙｅｓ判定）でも同様に、照明ＬＥＤ３９を点灯させた状態で、スマートフォン２で撮影領域７を撮像する（ステップＳＴ１０６）。これにより、まず、読取不可領域６２が発生している状態の媒体６の画像データ６０を読み取る。
【００７３】
次に、制御部４０のＬＥＤドライバ４１で照明ＬＥＤ３９を制御することにより、照明ＬＥＤ３９をＯＦＦにする（ステップＳＴ１０７）。つまり、スマートフォン２で撮像を行ったら、スマートフォン２の通信部２２と照明装置３の通信部４５とを介して、スマートフォン２から照明装置３に対して、照明ＬＥＤ３９をＯＦＦにする指示を行う。照明装置３は、この指示に基づいて照明ＬＥＤ３９を消灯する。
【００７４】
照明ＬＥＤ３９を消灯したら、照明装置３からスマートフォン２に対して、消灯完了の信号を送信し、この信号を受けたスマートフォン２は、その状態で、撮影領域７を撮像する（ステップＳＴ１０８）。これにより、照明ＬＥＤ３９が消灯して読取不可領域６２が発生していない状態の媒体６の画像データ６０を読み取る。
【００７５】
次に、画像を合成する（ステップＳＴ１０９）。つまり、スマートフォン２の画像処理部２３で、照明ＬＥＤ３９を点灯させた状態で撮像した画像データ６０（ステップＳＴ１０６）と、照明ＬＥＤ３９を消灯させた状態で撮像した画像データ６０（ステップＳＴ１０８）とを合成する。これにより、照明ＬＥＤ３９を点灯させた状態で撮像した画像データ６０中の読取不可領域６２を、照明ＬＥＤ３９を消灯させた状態で撮像した画像データ６０中の同じ範囲の領域である置換領域６４に置き換える。
【００７６】
具体的には、まず、照明ＬＥＤ３９の点灯時の画像データ６０中の読取不可領域６２を指定量だけ拡張して、領域のエッジを抽出する。次に、照明ＬＥＤ３９の消灯時の画像データ６０から、同じ領域をエッジ抽出して置換領域６４を抽出し、照明ＬＥＤ３９の点灯時の画像データ６０中の読取不可領域６２を、置換領域６４に置き換える。その後、両者のエッジ部の色が同じになるように、置換領域６４の色調整を行う。これにより、自然な合成画像を得る。
【００７７】
画像を合成したら、合成後の画像を、スマートフォン２の記録部２４に保存する（ステップＳＴ１１０）。また、読取不可領域６２はないと判定された後（ステップＳＴ１０４、Ｎｏ判定）、撮影領域７を撮像（ステップＳＴ１０５）することにより、媒体６の画像を取得した場合も、この画像をスマートフォン２の記録部２４に保存する（ステップＳＴ１１０）。
【００７８】
画像を保存したら、照明ＬＥＤ３９を元に戻す（ステップＳＴ１１１）。つまり、画像を保存したら、スマートフォン２は、画像の保存完了時の信号を、照明装置３に送信する。この信号を受けた照明装置３は、スキャン開始時に照明ＬＥＤ３９がＯＦＦであった場合には、ＯＦＦの状態を維持し、スキャン開始時に照明ＬＥＤ３９がＯＮであった場合には、照明ＬＥＤ３９をＯＮにする。照明ＬＥＤ３９を元に戻したら、制御手順における１つのサイクルから抜け出る。
【００７９】
撮像システム１は、スマートフォン２と照明装置３との間で通信を行いながら、これらの制御手順のサイクルを繰り返すことにより、スマートフォン２と照明装置３とで連繋して作動する。これにより、撮像システム１は、媒体設置面５に設置されている媒体６のスキャンを行い、スマートフォン２に保存する。
【００８０】
以上の実施形態１に係る撮像システム１は、媒体６の画像データ６０の保存前に、照明ＬＥＤ３９の点灯時の画像に読取不可領域６２があると判定した場合には、照明ＬＥＤ３９の照明状態を異ならせてそれぞれ撮像を行い、各撮像時の画像データ６０のうち、読取可能領域６１を合成して画像データ６０を生成する。これにより、読取不可領域６２が発生しないときは、通常の撮像を行って画像を保存し、媒体６での正反射によって読取不可領域６２が発生する場合には、読取不可領域６２を除去した画像を保存することができる。この結果、高画質な画像を適切に得ることができる。
【００８１】
また、このように照明ＬＥＤ３９の照明状態を異ならせてそれぞれ撮像を行い、各撮像時の画像データ６０のうち、読取可能領域６１を合成して画像データ６０を生成することにより、媒体６上において読取不可領域６２の位置が変化する場合でも、読取不可領域６２を除去した画像を保存することができる。例えば、平坦な媒体６と湾曲した媒体６とでは、光の反射状態が異なるため、双方の媒体６で読取不可領域６２が発生する場合は、その位置はそれぞれ異なる位置になる。このような場合でも、照明ＬＥＤ３９の照明状態を異ならせて撮像を行い、読取可能領域６１を合成して画像データ６０を生成することにより、いずれのタイプの媒体６でも、読取不可領域６２を除去した画像を得ることができる。この結果、媒体６の形態に関わらず、高画質な画像を得ることができる。
【００８２】
また、媒体６のスキャン時は、照明ＬＥＤ３９を点灯させるため、媒体６が外光７０からの照射光を正反射する場合でも、この正反射光に起因して媒体６の情報が読み取り難くなることを低減することができる。この結果、より確実に高画質な画像を得ることができる。
【００８３】
また、読取不可領域６２があると判定した場合には、照明ＬＥＤ３９の光量を点灯状態と、消灯状態とに異ならせたそれぞれの状態で、媒体６の撮像を行うため、消灯状態で媒体６を撮像することによって、読取不可領域６２が発生していない画像を、確実に得ることができる。このため、画像データ６０中の読取不可領域６２と、消灯状態での媒体６の画像データ６０中の同じ領域とを置き換えることにより、より確実に、読取不可領域６２の無い画像を得ることができる。この結果、より確実に高画質な画像を得ることができる。
【００８４】
また、照明装置３のトップ部３３に、媒体設置面５に設置された媒体６を撮像可能な位置に、スマートフォン２を載置するための載置面３４が設けられているため、撮像手段としてスマートフォン２を使用することができる。この結果、照明ＬＥＤ３９を備える照明装置３と、撮像部２１を備えるスマートフォン２とが、異なる装置として構成されている場合でも、双方を組み合わせることにより、高画質な画像を適切に得ることができる。
【００８５】
また、制御部４０は、スマートフォン２での媒体６の撮像後に、照明ＬＥＤ３９の照明状態を撮像前の照明状態に戻すため、撮像システム１を照明スタンドとして利用する際の利便性を向上させることができる。この結果、照明スタンドとしての利便性を確保しつつ、媒体６の撮像時には高画質な画像を得ることができる。
【００８６】
また、本実施形態１に係る画像データ生成方法は、媒体６の画像データ６０の保存前に、照明ＬＥＤ３９の点灯時の画像に読取不可領域６２があると判定した場合には、照明ＬＥＤ３９の照明状態を異ならせてそれぞれ撮像を行い、各撮像時の画像データ６０のうち、読取可能領域６１を合成して画像データ６０を生成する。これにより、読取不可領域６２が発生しないときは、通常の撮像を行って画像を保存し、媒体６での正反射によって読取不可領域６２が発生する場合には、読取不可領域６２を除去した画像を保存することができる。この結果、高画質な画像を適切に得ることができる。
【００８７】
〔実施形態２〕
実施形態２に係る撮像システム８１は、実施形態１に係る撮像システム１と略同様の構成であるが、照明装置８３に照明が複数設けられている点に特徴がある。他の構成は実施形態１と同様なので、その説明を省略すると共に、同一の符号を付す。
【００８８】
図１３は、実施形態２に係る撮像システムの側面図である。図１４は、図１３に示す撮像システムの平面図である。図１５は、図１３に示す照明装置の斜視図である。本実施形態２に係る撮像システム８１は、実施形態１に係る撮像システム１と同様に、スマートフォン２と、スマートフォン２を載置することができる照明装置８３とを備えており、照明装置８３は、ベース部３１、アーム部３２及びトップ部３３の３つの部材を備えている。本実施形態２に係る撮像システム８１でも、トップ部３３における媒体設置面５と対向する下面には、媒体設置面５を照射する照明が設けられているが、この照明は、実施形態１とは異なり、第１照明である第１照明ＬＥＤ８６と、第２照明である第２照明ＬＥＤ８７とを有している。
【００８９】
これらの第１照明ＬＥＤ８６と第２照明ＬＥＤ８７とは、トップ部３３の下面の異なる位置に設けられている。詳しくは、第１照明ＬＥＤ８６は、トップ部３３の下面におけるアーム部３２寄りの位置に配設されており、第２照明ＬＥＤ８７は、トップ部３３の下面におけるアーム部３２から離れた位置、即ち、トップ部３３の下面における先端寄りの位置に配設されている。第１照明ＬＥＤ８６と第２照明ＬＥＤ８７とは、これらのように異なる位置に設置されつつ、同じ照射範囲８を照射するように設けられている。
【００９０】
図１６は、図１３に示す撮像システムの機能ブロック図である。本実施形態２に係る撮像システム８１においても、スマートフォン２は、撮像部２１と、通信部２２と、画像処理部２３と、記録部２４と、読取不可領域判定部２５と、ＣＰＵ２８とを備えている。一方、照明装置８３は、通信部４５と、スキャンスイッチ３６と、照明スイッチ３７と、電源スイッチ３８と、制御部４０とを備えており、電源スイッチ３８には、外部電源に接続されるＡＣアダプタ５０が接続されている。
【００９１】
また、照明装置８３が有する第１照明ＬＥＤ８６と第２照明ＬＥＤ８７とは、共に制御部４０に電気的に接続されている。制御部４０が有するＬＥＤドライバ４１は、この第１照明ＬＥＤ８６と第２照明ＬＥＤ８７とに供給する電力を調節して第１照明ＬＥＤ８６と第２照明ＬＥＤ８７とを発光させることが可能になっている。その際に、ＬＥＤドライバ４１は、第１照明ＬＥＤ８６と第２照明ＬＥＤ８７とをそれぞれ独立して点灯させたり消灯させたりすることが可能になっている。
【００９２】
本実施形態２に係る撮像システム８１は、以上のごとき構成からなり、以下、その作用について説明する。撮像システム８１を構成する照明装置８３は、実施形態１に係る撮像システム１の照明装置３と同様に、通常は照明スタンドとして利用することができる。照明装置８３を照明スタンドとして利用する際には、電源スイッチ３８をＯＮの状態で、照明スイッチ３７に対して押圧操作を行う等の入力操作を行うことにより、第１照明ＬＥＤ８６や第２照明ＬＥＤ８７の点灯や消灯を切り替える。
【００９３】
なお、この第１照明ＬＥＤ８６や第２照明ＬＥＤ８７の点灯や消灯は、照明装置８３を照明スタンドとして使用する際には、いずれか一方が点灯するように構成されていてもよい。または、照明スイッチ３７に対する入力操作に応じて、第１照明ＬＥＤ８６と第２照明ＬＥＤ８７とのうち、点灯させる照明を切り替えたり、双方を点灯させたりすることができるように構成されていてもよい。
【００９４】
この撮像システム８１で、媒体設置面５に設置された媒体６のスキャンを行う場合は、媒体６を媒体設置面５に設置した状態で、スキャンスイッチ３６を押下することにより、スキャンを開始する。このスキャンは、スマートフォン２と照明装置８３との間で通信を行い、双方が連繋して作動することにより、媒体６のスキャンを行う。
【００９５】
スキャンを開始する際には、まず、第１照明ＬＥＤ８６と第２照明ＬＥＤ８７との双方を点灯させる。スマートフォン２は、この状態で、媒体６の画像データを保存する前に、第１照明ＬＥＤ８６と第２照明ＬＥＤ８７との双方を点灯させた状態での撮像により取得した媒体６に対応する画像データに基づいて、読取不可領域の有無を判定する。
【００９６】
第１照明ＬＥＤ８６と第２照明ＬＥＤ８７との双方を点灯させた状態で、読取不可領域は無いと判定されたときには、これらが点灯している状態で撮影領域７内の媒体６を撮像して、画像データ６０をスマートフォン２の記録部２４に保存する。これにより、撮像システム８１は、第１照明ＬＥＤ８６と第２照明ＬＥＤ８７によって作り出した最適な環境下で、媒体６を撮像して保存し、媒体６のスキャンを行う。
【００９７】
これに対し、第１照明ＬＥＤ８６と第２照明ＬＥＤ８７との双方を点灯させた状態で、読取不可領域があると判定された場合は、媒体６に対して第１照明ＬＥＤ８６で照射する状態と、第２照明ＬＥＤ８７で照射する状態とを切り替えて撮像し、双方の画像を合成する。つまり、第１照明ＬＥＤ８６と第２照明ＬＥＤ８７とを交互に点灯させ、それぞれの点灯状態で媒体６を撮像して画像を取得した後、画像の合成を行う。
【００９８】
図１７は、第１照明ＬＥＤ８６のみ点灯させて撮像した画像を示す説明図である。第１照明ＬＥＤ８６と第２照明ＬＥＤ８７とを点灯させた状態で、読取不可領域があると判定されることにより、第１照明ＬＥＤ８６のみを点灯させた場合は、第１照明ＬＥＤ８６からの照射光が媒体６で正反射することによってのみ、読取不可領域が発生する。このため、第１照明ＬＥＤ８６のみを点灯させた状態で撮影領域７を撮像することによって取得した媒体６の画像データ６０では、媒体６上において第１照明ＬＥＤ８６からの照射光が正反射する位置に、この光に起因する読取不可領域である第１読取不可領域９１が発生する。第１照明ＬＥＤ８６と第２照明ＬＥＤ８７との双方を点灯させた状態で、読取不可領域があると判定された場合は、第１照明ＬＥＤ８６のみを点灯させた状態で撮像することにより、第１読取不可領域９１を有している画像データ６０を取得する。
【００９９】
図１８は、第２照明ＬＥＤのみ点灯させて撮像した画像を示す説明図である。また、第２照明ＬＥＤ８７のみを点灯させた場合は、第２照明ＬＥＤ８７からの照射光が媒体６で正反射することによってのみ、読取不可領域が発生する。このため、第２照明ＬＥＤ８７のみを点灯させた状態で撮影領域７を撮像することによって取得した媒体６の画像データ６０では、媒体６上において第２照明ＬＥＤ８７からの照射光が正反射する位置に、この光に起因する読取不可領域である第２読取不可領域９２が発生する。
【０１００】
その際に、第１照明ＬＥＤ８６と第２照明ＬＥＤ８７とは、異なる位置に設置されて同じ照射範囲８を照射するように設けられているため、第１照明ＬＥＤ８６と第２照明ＬＥＤ８７とは、媒体６に対して異なる方向から光を照射する。このため、第２照明ＬＥＤ８７からの照射光が媒体６で正反射をする位置は、第１照明ＬＥＤ８６からの照射光が媒体６で正反射をする位置とは異なるため、画像データ６０上における第２読取不可領域９２の位置は、第１読取不可領域９１の位置とは異なった位置になる。
【０１０１】
第１照明ＬＥＤ８６と第２照明ＬＥＤ８７との双方を点灯させた状態で、読取不可領域があると判定された場合は、第２照明ＬＥＤ８７のみを点灯させた状態でも撮像することにより、この第２読取不可領域９２を有している画像データ６０も取得する。
【０１０２】
図１９は、第１照明ＬＥＤ８６のみの点灯時の画像と第２照明ＬＥＤ８７のみの点灯時の画像とを合成した画像を示す説明図である。第１照明ＬＥＤ８６のみの点灯時と第２照明ＬＥＤ８７のみの点灯時とのそれぞれの状態での画像データ６０を取得したら、撮像システム８１は、双方の画像データ６０を合成する。具体的には、第２照明ＬＥＤ８７の点灯時の画像データ６０における第２読取不可領域９２の部分を、第１照明ＬＥＤ８６のみの点灯時の画像データ６０における、第２読取不可領域９２に該当する部分に置き換える。
【０１０３】
つまり、第１照明ＬＥＤ８６のみの点灯時の画像データ６０（図１７参照）のうち、第２照明ＬＥＤ８７のみの点灯時の画像データ６０中の第２読取不可領域９２（図１８参照）に該当する部分を置換領域６４とし、第２照明ＬＥＤ８７のみの点灯時の画像データ６０中の第２読取不可領域９２を、置換領域６４に置き換える。第１照明ＬＥＤ８６のみの点灯時の画像データ６０中では、置換領域６４は読取可能領域６１に位置しているため、置換領域６４は、媒体６の情報を読み取ることが可能になっている。このため、第２読取不可領域９２を置換領域６４に置き換えた画像データ６０は、全領域が読取可能領域６１になり、媒体６の全領域の情報を読み取ることが可能になる。
【０１０４】
なお、２つの画像データ６０を合成する際には、これとは反対の手法で行ってもよい。即ち、第２照明ＬＥＤ８７のみの点灯時の画像データ６０（図１８参照）のうち、第１照明ＬＥＤ８６のみの点灯時の画像データ６０中の第１読取不可領域９１（図１７参照）に該当する部分を置換領域６４とし、第１照明ＬＥＤ８６のみの点灯時の画像データ６０中の第１読取不可領域９１を、置換領域６４に置き換えてもよい。これによっても、第１読取不可領域９１を置換領域６４に置き換えた画像データ６０は、全領域が読取可能領域６１になるため、媒体６の全領域の情報を読み取ることが可能になる。
【０１０５】
次に、第１照明ＬＥＤ８６や第２照明ＬＥＤ８７からの光が媒体６の表面で正反射することによって第１読取不可領域９１や第２読取不可領域９２が発生する原因について説明する。図２０は、第１照明ＬＥＤや第２照明ＬＥＤの点灯時における撮像部での照度についての説明図である。媒体６が、第１照明ＬＥＤ８６からの光を正反射する場合において、第１照明ＬＥＤ８６と撮像部２１との位置関係により、媒体６で正反射した光の光路上に撮像部２１が位置している場合は、正反射した光は、撮像部２１に入射する。第１照明ＬＥＤ８６は、媒体６までの距離が、外光７０から媒体６までの距離よりも大幅に小さくなっているため、媒体６で受ける光の光量は、外光７０からの光よりも、第１照明ＬＥＤ８６からの光の方が大幅に多くなっている。このため、第１照明ＬＥＤ８６からの光が媒体６で正反射し、この正反射光が撮像部２１に入射する際の撮像部２１での照度は、外光７０からの光が媒体６で正反射した際の撮像部２１での照度よりも大幅に大きくなる。
【０１０６】
また、この第１照明ＬＥＤ８６からの光が媒体６で正反射した際の撮像部２１での照度は、撮影領域７におけるその他の部分で拡散反射した光が撮像部２１に入射する際における照度よりも大幅に大きくなる。これにより、媒体６における、第１照明ＬＥＤ８６からの光が正反射する部分は、照度が高すぎて媒体６の情報を読み取ることができない第１読取不可領域９１になる。
【０１０７】
同様に、第２照明ＬＥＤ８７も、媒体６までの距離が小さいため、第２照明ＬＥＤ８７からの光が媒体６で正反射し、この正反射光が撮像部２１に入射する際の撮像部２１での照度は、撮影領域７におけるその他の部分で拡散反射した光が撮像部２１に入射する際における照度よりも大幅に大きくなる。これにより、媒体６における、第２照明ＬＥＤ８７からの光が正反射する部分は、照度が高すぎて媒体６の情報を読み取ることができない第２読取不可領域９２になる。
【０１０８】
これらにより、撮像する媒体６の表面の平滑度が高く、表面に光沢を有して形成されている場合は、画像データ６０には第１読取不可領域９１や第２読取不可領域９２が発生する。本実施形態２に係る撮像システム８１では、画像データ６０にこれらの領域が発生する場合には、第１照明ＬＥＤ８６のみの点灯時と第２照明ＬＥＤ８７のみの点灯時に媒体６の画像データ６０を取得してそれらの画像データ６０を合成するが、次に、合成の前後での画像データ６０の変化について説明する。
【０１０９】
図２１は、第１照明ＬＥＤ８６のみの点灯時と第２照明ＬＥＤ８７のみの点灯時の画像データを合成する際の合成の手法についての説明図である。第１照明ＬＥＤ８６を点灯し、第２照明ＬＥＤ８７を消灯した際における画像輝度成分は、第１読取不可領域９１以外の部分では０〜２５５の適切な範囲内に収まる。一方、第１読取不可領域９１に該当する部分は、輝度が他の部分と比較してこの部分だけ極端に高くなっているため、画像輝度成分が２５５を超える状態になり、画像輝度成分が飽和状態になる。このため、第１読取不可領域９１では、輝度が高過ぎて媒体６の情報を読み取ることができなくなっている。
【０１１０】
同様に、第２照明ＬＥＤ８７を点灯し、第１照明ＬＥＤ８６を消灯した際における画像輝度成分は、第２読取不可領域９２以外の部分では０〜２５５の適切な範囲内に収まる。一方、第２読取不可領域９２に該当する部分は、輝度が他の部分と比較してこの部分だけ極端に高くなっているため、画像輝度成分が２５５を超える状態になり、画像輝度成分が飽和状態になる。このため、第２読取不可領域９２では、輝度が高過ぎて媒体６の情報を読み取ることができなくなっている。
【０１１１】
なお、第１照明ＬＥＤ８６や第２照明ＬＥＤ８７の点灯時には、撮影領域７全体の照度が高くなることにより、撮像部２１で入光量を制限するため、外光７０の正反射光が撮像部２１に入射することによって媒体６の情報を読み取り難くなる外光正反射領域６３（図２０参照）からの入光量も少なくなる。このため、外光正反射領域６３の輝度は、他の部分の輝度に近くなり、媒体６の情報を読み取り易くなる。
【０１１２】
これらの第１照明ＬＥＤ８６のみの点灯時の画像データ６０と、第２照明ＬＥＤ８７のみの点灯時の画像データ６０を合成する際には、第２照明ＬＥＤ８７のみの点灯時における第２読取不可領域９２に該当する部分（図２１、Ｄ）を、第１照明ＬＥＤ８６のみの点灯時における画像データ６０のうち第２照明ＬＥＤ８７のみの点灯時の第２読取不可領域９２に該当する部分（図２１、Ｃ）に置き換える。これにより、合成後の画像データ６０では、全ての領域で輝度が０〜２５５内の適切な範囲内に収まる。
【０１１３】
次に、これらのように第１照明ＬＥＤ８６と第２照明ＬＥＤ８７との点灯と消灯を切り替えて取得した画像データ６０を合成して媒体６のスキャンを行う撮像システム８１の制御手順について説明する。図２２は、図１３に示す撮像システムでの媒体のスキャン時における制御手順を示すフロー図である。撮像システム８１で媒体６のスキャンを行う際には、電源スイッチ３８がＯＮになっている状態で、スキャンスイッチ３６を押下することによりＯＮにする（ステップＳＴ２０１）。スキャンスイッチ３６がＯＮになったことを制御部４０で認識したら、照明装置８３の通信部４５とスマートフォン２の通信部２２との間で通信を行うことにより、照明装置８３からスマートフォン２に対して、スキャンの開始指示を行う。スキャンの開始指示を受けたスマートフォン２は、撮像部２１を作動させ、撮像を開始する。
【０１１４】
また、スキャンスイッチ３６がＯＮになったら、照明装置８３では、第１照明ＬＥＤ８６と第２照明ＬＥＤ８７とが共にＯＮであるか否かを判定する（ステップＳＴ２０２）。第１照明ＬＥＤ８６と第２照明ＬＥＤ８７とは、共に制御部４０のＬＥＤドライバ４１で点灯状態が制御されるため、制御部４０は、ＬＥＤドライバ４１での第１照明ＬＥＤ８６や第２照明ＬＥＤ８７の制御状態に基づいて、第１照明ＬＥＤ８６と第２照明ＬＥＤ８７とが共にＯＮであるか否かの判定をする。
【０１１５】
この判定により、第１照明ＬＥＤ８６と第２照明ＬＥＤ８７とが共にＯＮではないと判定された場合（ステップＳＴ２０２、Ｎｏ判定）、第１照明ＬＥＤ８６と第２照明ＬＥＤ８７とを共にＯＮにする（ステップＳＴ２０３）。つまり、第１照明ＬＥＤ８６と第２照明ＬＥＤ８７とのうち、少なくともいずれか一方がＯＦＦであると判定された場合は、制御部４０のＬＥＤドライバ４１で、第１照明ＬＥＤ８６と第２照明ＬＥＤ８７とのうち少なくともいずれか一方を制御することにより、第１照明ＬＥＤ８６と第２照明ＬＥＤ８７との双方を点灯させる。
【０１１６】
これに対し、第１照明ＬＥＤ８６と第２照明ＬＥＤ８７とが共にＯＮであると判定された場合（ステップＳＴ２０２、Ｙｅｓ判定）は、読取不可領域はあるか否かを判定する（ステップＳＴ２０４）。つまり、撮像を開始しているスマートフォン２によって取得した画像データ６０に基づいて、読取不可領域判定部２５によって、第１読取不可領域９１や第２読取不可領域９２の有無を判定する。
【０１１７】
この判定により、読取不可領域はないと判定された場合（ステップＳＴ２０４、Ｎｏ判定）は、スマートフォン２で撮影領域７を撮像する（ステップＳＴ２０５）。即ち、第１読取不可領域９１と第２読取不可領域９２とのいずれも発生していないと判定された場合は、第１照明ＬＥＤ８６と第２照明ＬＥＤ８７との双方を点灯させた状態で、撮像を行う。これにより、撮影領域７に設置されている媒体６を読み取り、第１読取不可領域９１や第２読取不可領域９２が発生していない状態の媒体６の画像データ６０を読み取る。
【０１１８】
これに対し、読取不可領域はあると判定された場合（ステップＳＴ２０４、Ｙｅｓ判定）は、第１照明ＬＥＤ８６のみをＯＮにする（ステップＳＴ２０６）。つまり、第１読取不可領域９１と第２読取不可領域９２との少なくともいずれかが発生していると判定された場合は、スマートフォン２の通信部２２と照明装置８３の通信部４５とを介して、スマートフォン２から照明装置８３に対して、第１照明ＬＥＤ８６はＯＮにし、第２照明ＬＥＤ８７はＯＦＦにする指示を行う。照明装置８３は、この指示に基づいて、第２照明ＬＥＤ８７を消灯し、第１照明ＬＥＤ８６のみ点灯状態を維持する。
【０１１９】
第１照明ＬＥＤ８６のみをＯＮにしたら、照明装置８３からスマートフォン２に対して、照明切替完了の信号を送信し、この信号を受けたスマートフォン２は、第１照明ＬＥＤ８６のみが点灯している状態で、撮影領域７を撮像する（ステップＳＴ２０７）。これにより、まず、第１読取不可領域９１が発生している状態の媒体６の画像データ６０を読み取る。
【０１２０】
次に、制御部４０のＬＥＤドライバ４１で第１照明ＬＥＤ８６と第２照明ＬＥＤ８７とを制御することにより、第２照明ＬＥＤ８７のみをＯＮにする（ステップＳＴ２０８）。つまり、スマートフォン２で撮像を行ったら、スマートフォン２の通信部２２と照明装置８３の通信部４５とを介して、スマートフォン２から照明装置８３に対して、第１照明ＬＥＤ８６はＯＦＦにし、第２照明ＬＥＤ８７はＯＮにする指示を行う。照明装置８３は、この指示に基づいて、第１照明ＬＥＤ８６を消灯し、第２照明ＬＥＤ８７のみ点灯させる。
【０１２１】
第２照明ＬＥＤ８７のみをＯＮにしたら、照明装置８３からスマートフォン２に対して、照明切替完了の信号を送信し、この信号を受けたスマートフォン２は、第２照明ＬＥＤ８７のみが点灯している状態で、撮影領域７を撮像する（ステップＳＴ２０９）。これにより、第２読取不可領域９２が発生している状態の媒体６の画像データ６０を読み取る。
【０１２２】
次に、画像を合成する（ステップＳＴ２１０）。つまり、スマートフォン２の画像処理部２３で、第１照明ＬＥＤ８６のみを点灯させた状態で撮像した画像データ６０（ステップＳＴ２０７）と、第２照明ＬＥＤ８７のみを点灯させた状態で撮像した画像データ６０（ステップＳＴ２０９）とを合成する。これにより、例えば第２照明ＬＥＤ８７のみを点灯させた状態で撮像した画像データ６０中の第２読取不可領域９２を、第１照明ＬＥＤ８６のみを点灯させた状態で撮像した画像データ６０中の同じ範囲の領域である置換領域６４に置き換える。
【０１２３】
画像を合成したら、合成後の画像を、スマートフォン２の記録部２４に保存する（ステップＳＴ２１１）。また、読取不可領域はないと判定された後（ステップＳＴ２０４、Ｎｏ判定）、撮影領域７を撮像（ステップＳＴ２０５）することにより、媒体６の画像を取得した場合も、この画像をスマートフォン２の記録部２４に保存する（ステップＳＴ２１１）。
【０１２４】
画像を保存したら、第１照明ＬＥＤ８６と第２照明ＬＥＤ８７とを元に戻す（ステップＳＴ２１２）。つまり、画像を保存したら、スマートフォン２は、画像の保存完了時の信号を、照明装置８３に送信する。この信号を受けた照明装置８３は、第１照明ＬＥＤ８６と第２照明ＬＥＤ８７との点灯状態を、スキャン開始時の点灯状態にする。第１照明ＬＥＤ８６と第２照明ＬＥＤ８７とを元に戻したら、制御手順における１つのサイクルから抜け出る。
【０１２５】
撮像システム８１は、スマートフォン２と照明装置８３との間で通信を行いながら、これらの制御手順のサイクルを繰り返すことにより、スマートフォン２と照明装置８３とで連繋して作動する。これにより、撮像システム８１は、媒体設置面５に設置されている媒体６のスキャンを行い、スマートフォン２に保存する。
【０１２６】
以上の実施形態２に係る撮像システム８１は、第１照明ＬＥＤ８６と第２照明ＬＥＤ８７とを備え、読取不可領域があると判定した場合には、第１照明ＬＥＤ８６での照射と第２照明ＬＥＤ８７での照射とに切り替えたそれぞれの状態で媒体６を撮像するので、一方の照明の点灯時に読取不可領域となる部分の画像を、他方の照明の点灯時に読取可能領域６１として得ることができる。このため、例えば、第２照明ＬＥＤ８７の点灯時における画像データ６０中の第２読取不可領域９２と、第１照明ＬＥＤ８６の点灯時における画像データ６０中の同じ領域とを置き換えることにより、より確実に、読取不可領域の無い画像を得ることができる。この結果、より確実に高画質な画像を得ることができる。
【０１２７】
〔変形例〕
なお、上述した撮像システム１、８１では、ＬＥＤドライバ４１は、照明ＬＥＤ３９や第１照明ＬＥＤ８６、第２照明ＬＥＤ８７の点灯と消灯とを切り替えるように構成されているが、ＬＥＤドライバ４１は、ＰＷＭ（Ｐｕｌｓｅ  Ｗｉｄｔｈ  Ｍｏｄｕｌａｔｉｏｎ）制御等によってこれらの光量を調整するように構成されていてもよい。つまり、ＬＥＤドライバ４１を備える制御部４０は、照明ＬＥＤ３９や第１照明ＬＥＤ８６、第２照明ＬＥＤ８７の光量を調整する駆動制御を行うように設けられていてもよい。この場合、照明スイッチ３７は、照明ＬＥＤ３９、第１照明ＬＥＤ８６、第２照明ＬＥＤ８７の点灯と消灯とを切り替えるのみでなく、照明ＬＥＤ３９、第１照明ＬＥＤ８６、第２照明ＬＥＤ８７から照射する光の光量を調節する入力手段としても用いられるのが好ましい。
【０１２８】
このように、照明ＬＥＤ３９、第１照明ＬＥＤ８６、第２照明ＬＥＤ８７から照射する光の光量を調節可能にすることにより、読取不可領域があると判定された場合に、これらの点灯と消灯とを切り替えるのみでなく、光量を調節して媒体６を撮像することによっても、読取不可領域を除去した画像を得ることができる。例えば、実施形態１に係る撮像システム１において、読取不可領域６２があると読取不可領域判定部２５で判定した場合には、スマートフォン２は、制御部４０によって照明ＬＥＤ３９の光量を異ならせたそれぞれの状態で、媒体６を撮像し、各撮像時に対応して生成された画像データ６０のうち、読取可能領域６１を合成して媒体６に対応する画像データを生成してもよい。これにより、読取不可領域６２が発生することにより、画像を合成する場合でも、合成後の補正が少ない画像を得ることができ、より確実に高画質な画像を得ることができる。
【０１２９】
また、上述した撮像システム１、８１では、照明ＬＥＤ３９、第１照明ＬＥＤ８６、第２照明ＬＥＤ８７の点灯時に読取不可領域が発生する場合は、この読取不可領域を除去するように画像処理を行っているが、これ以外の画像処理を行ってもよい。例えば、照明ＬＥＤ３９、第１照明ＬＥＤ８６、第２照明ＬＥＤ８７からの照射光の色温度と、外光７０からの照射光等の環境光の色温度は、異なることがあるため、照明ＬＥＤ３９、第１照明ＬＥＤ８６、第２照明ＬＥＤ８７の色温度を、環境光の色温度に合わせて調光してもよい。これにより、１つの画像データ６０において、環境光の影響が大きく出る、画像データ６０の周縁付近の部分と、環境光の影響が小さい、画像データ６０の中央付近の部分とで、色調を揃えることができる。この結果、より確実に高画質な画像を得ることができる。
【０１３０】
また、上述した撮像システム１、８１では、スマートフォン２で撮像した画像データ６０は、スマートフォン２の記録部２４に保存しているが、画像データ６０は、スマートフォン２以外に保存してもよい。例えば、スマートフォン２で撮像を行ったら、画像データ６０を照明装置３、８３に転送して照明装置３、８３で保存してもよく、または、外部のサーバに転送し、この外部のサーバで保存してもよい。
【０１３１】
また、上述した撮像システム１、８１では、媒体設置面５に設置された媒体６を撮像する撮像手段としてスマートフォン２を用いているが、撮像手段はスマートフォン２以外のものを用いてもよい。撮像手段は、例えば、照明装置３、８３との間で通信をする機能を有するデジタルカメラを用いてもよい。撮像手段は、照明装置３、８３との間で通信をすることにより、照明装置３、８３から送信されるスキャン・トリガに基づいて撮像をすることができるものであれば、その形態は問わない。
【符号の説明】
【０１３２】
１、８１  撮像システム
２  スマートフォン（撮像手段）
３、８３  照明装置
５  媒体設置面
６  媒体
７  撮影領域
８  照射範囲
２１  撮像部
２２  通信部
２３  画像処理部
２４  記録部
２５  読取不可領域判定部
２８  ＣＰＵ
３１  ベース部
３２  アーム部
３３  トップ部
３４  載置面
３６  スキャンスイッチ
３７  照明スイッチ
３８  電源スイッチ
３９  照明ＬＥＤ（照明）
４０  制御部（照明制御手段）
４５  通信部
６０  画像データ
６２  読取不可領域
６４  置換領域
７０  外光
８６  第１照明ＬＥＤ（第１照明）
８７  第２照明ＬＥＤ（第２照明）
９１  第１読取不可領域
９２  第２読取不可領域
【図１】
2015097351.tif 000003
【図２】
2015097351.tif 000004
【図３】
2015097351.tif 000005
【図４】
2015097351.tif 000006
【図５】
2015097351.tif 000007
【図６】
2015097351.tif 000008
【図７】
2015097351.tif 000009
【図８】
2015097351.tif 000010
【図９】
2015097351.tif 000011
【図１０】
2015097351.tif 000012
【図１１】
2015097351.tif 000013
【図１２】
2015097351.tif 000014
【図１３】
2015097351.tif 000015
【図１４】
2015097351.tif 000016
【図１５】
2015097351.tif 000017
【図１６】
2015097351.tif 000018
【図１７】
2015097351.tif 000019
【図１８】
2015097351.tif 000020
【図１９】
2015097351.tif 000021
【図２０】
2015097351.tif 000022
【図２１】
2015097351.tif 000023
【図２２】
2015097351.tif 000024
【手続補正書】
【提出日】平成27年1月19日(2015.1.19)
【手続補正１】
【補正対象書類名】特許請求の範囲
【補正対象項目名】全文
【補正方法】変更
【補正の内容】
【特許請求の範囲】
【請求項１】
読取対象の媒体を設置する媒体設置面に配設されるベース部と、
前記ベース部から上方に延在するアーム部と、
前記アーム部から前記媒体設置面に対向して延在するトップ部と、
前記媒体を撮像する撮像手段と、
前記トップ部に設けられ、前記媒体設置面を照射する照明と、
前記照明を駆動制御する照明制御手段と、
前記撮像手段で撮像した前記媒体の画像データの保存前に、前記照明の点灯状態における撮像により取得した前記媒体に対応する画像に基づいて、前記媒体での前記照明の反射光により前記撮像手段で前記媒体の情報が読み取れない読取不可領域があるか否かを判定する読取不可領域判定部と、
前記照明制御手段に接続され、前記撮像手段との間で無線通信を行うことが可能な通信部と、
を備え、
前記読取不可領域があると前記読取不可領域判定部で判定した場合には、前記撮像手段と前記照明制御手段との間で無線通信を行うことによって、前記照明制御手段により前記照明の照明状態を異ならせると共に、照明状態を異ならせたそれぞれの状態で前記撮像手段で前記媒体を撮像し、
各撮像時に対応して生成された画像データのうち、前記読取不可領域に対応する領域を除く領域を合成して前記媒体に対応する画像データを生成し、
前記照明制御手段は、前記撮像手段での前記媒体の撮像後に、無線通信によって前記撮像手段からの画像データの保存完了時の信号を受けることにより、前記照明の照明状態を撮像前の照明状態に戻すことを特徴とする撮像システム。
【請求項２】
請求項１に記載の撮像システムにおいて、
前記照明状態とは、前記照明の光量であり、
前記読取不可領域があると前記読取不可領域判定部で判定した場合には、前記撮像手段は、前記照明制御手段により前記照明の光量を異ならせたそれぞれの状態で前記媒体を撮像する撮像システム。
【請求項３】
請求項２に記載の撮像システムにおいて、
前記読取不可領域があると前記読取不可領域判定部で判定した場合には、前記撮像手段は、前記照明制御手段により前記照明の光量を点灯状態と、消灯状態とに異ならせたそれぞれの状態で前記媒体を撮像する撮像システム。
【請求項４】
請求項１に記載の撮像システムにおいて、
前記照明は、前記媒体設置面に照射する、異なる位置に設けられた第１照明と、第２照明とを有し、
前記照明状態とは、前記媒体に対して前記第１照明で照射をする状態と、前記第２照明で照射をする状態とであり、
前記読取不可領域があると前記読取不可領域判定部で判定した場合には、前記撮像手段は、前記照明制御手段により前記媒体設置面への照射を前記第１照明での照射と前記第２照明での照射とに切り替えたそれぞれの状態で前記媒体を撮像する撮像システム。
【請求項５】
請求項１〜４のいずれか１項に記載の撮像システムにおいて、
前記トップ部は、前記媒体設置面に設置された前記媒体を撮像可能な位置に前記撮像手段を載置するための載置面が設けられている撮像システム。
【請求項６】
読取対象の媒体を設置する媒体設置面に配置されるベース部と、
前記ベース部から上方に延在するアーム部と、
前記アーム部から前記媒体設置面に対向して延在するトップ部と、
前記媒体を撮像する撮像手段と、
前記トップ部に設けられ、前記媒体設置面を照射する照明と、
前記照明を駆動制御すると共に通信部が接続され、前記通信部を介して前記撮像手段との間で無線通信を行うことが可能な照明制御手段と、
を備える撮像システムでの画像データ生成方法であって、
前記撮像手段で撮像した前記媒体の画像データの保存前に、前記照明の点灯状態における撮像により取得した前記媒体に対応する画像に基づいて、前記媒体での前記照明の反射光により前記撮像手段で前記媒体の情報が読み取れない読取不可領域があると判定した場合には、前記撮像手段と前記照明制御手段との間で無線通信を行うことによって、前記照明の照明状態を異ならせると共に、照明状態を異ならせたそれぞれの状態で前記撮像手段で前記媒体を撮像し、
各撮像時に対応して生成された画像データのうち、前記読取不可領域に対応する領域を除く領域を合成して前記媒体に対応する画像データを生成し、
前記撮像手段での前記媒体の撮像後に、無線通信によって前記撮像手段からの画像データの保存完了時の信号を前記照明制御手段で受けることにより、前記照明の照明状態を撮像前の照明状態に戻すことを特徴とする画像データ生成方法。